(57)【要約】【課題】人の有無に関わらず、所望のタイミングで、吸込位置を変えることができる空気清浄機を提供する。【解決手段】空気清浄機は、前方に向けて開口する吸込口３を有する本体１と、吸込口３に取り付けられたフィルタ７と、吸込口３の前方側に配置され、上下方向に移動可能に構成されたパネル２と、パネル２を上下方向に移動させるパネル駆動部と、パネル駆動部の動作を制御する制御部と、本体１の周辺のにおいを検知するにおい検知部と、を備え、制御部は、パネル駆動部の動作を制御して、におい検知部によってにおいが検知された場合に、前方から見て下方側に吸込口３が露出するようにパネル２が上方側に位置する状態から、前方から見て上方側に吸込口３が露出するようにパネル２を下方側に移動させる。【選択図】図１
2018057710.tif 000002
【特許請求の範囲】
【請求項１】
前方に向けて開口する吸込口を有する本体と、
前記吸込口に取り付けられたフィルタと、
前記吸込口の前方側に配置され、上下方向に移動可能に構成されたパネルと、
前記パネルを上下方向に移動させるパネル駆動部と、
前記パネル駆動部の動作を制御する制御部と、
前記本体の周辺のにおいを検知するにおい検知部と、を備え、
前記制御部は、前記におい検知部によってにおいが検知された場合に、前方から見て下方側に前記吸込口が露出するように前記パネルが上方側に位置する状態から、前方から見て上方側に前記吸込口が露出するように前記パネルを下方側に移動させる、空気清浄機。
【請求項２】
前面を有し、前記前面において開口する吸込口を有する本体と、
前記吸込口に取り付けられたフィルタと、
前記吸込口の前方側に配置され、前記前面に対して平行な方向にスライド移動可能に構成されたパネルと、
前記パネルをスライド移動させるパネル駆動部と、
前記パネル駆動部の動作を制御する制御部と、
前記フィルタへの埃の付着状況を検知する埃検知部と、を備え、
前記制御部は、前記パネル駆動部の動作を制御して、前記埃検知部によって一定以上の埃が前記フィルタに付着していることが検知された場合に、前方から見て前記平行な方向の第１側に前記吸込口が露出するように、前記パネルが前記平行な方向において前記第１側と反対側にある第２側に位置する状態から、前方から見て前記第２側に前記吸込口が露出するように、前記パネルを前記第１側に移動させる、空気清浄機。
【請求項３】
前面を有し、前記前面において開口する吸込口を有する本体と、
前記吸込口に取り付けられたフィルタと、
前記吸込口の前方側に配置され、前記前面に対して平行な方向にスライド移動可能に構成されたパネルと、
前記パネルをスライド移動させるパネル駆動部と、
前記パネル駆動部の動作を制御する制御部と、を備え、
前記制御部は、一定時間毎に、前記パネル駆動部の動作を制御して、前方から見て前記平行な方向の第１側に前記吸込口が露出するように、前記パネルが前記平行な方向において前記第１側と反対側にある第２側に位置する状態と、前方から見て前記第２側に前記吸込口が露出するように、前記パネルが前記第１側に位置する状態とを切り替える、空気清浄機。
【請求項４】
前記パネル駆動部は、前記パネルをスライド方向に移動させるスライド機構と、前記スライド機構を駆動させる駆動モータと、を含み、
前記スライド機構は、
前記スライド方向に互いに離間して配置される第１回転体および第２回転体と、
前記第１回転体および前記第２回転体のうちの一方の回転体の回転力を前記第１回転体および前記第２回転体のうちの他方の回転体に伝達する回転力伝達部と、
前記第１回転体に接続され前記パネルを支持する第１支持部と、
前記第２回転体に接続され前記パネルを支持する第２支持部と、を有し、
前記駆動モータは、前記第１回転体および前記第２回転体のうちの前記一方の回転体を回転させるためのものであり、
前記一方の回転体を回転させ、前記回転力伝達部によって前記第１回転体および前記第２回転体の双方を回転させることにより、前記第１支持部および前記第２支持部が、前記第１支持部の姿勢と前記第２支持部の姿勢とが同じ状態で回転し、前記パネルが前記スライド方向にスライド移動する、請求項１から３のいずれか１項に記載の空気清浄機。
【請求項５】
前記パネル駆動部は、前記パネルをスライド方向に移動させるスライド機構と、前記スライド機構を駆動させる駆動モータと、を含み、
前記スライド機構は、
前記スライド方向と直交する方向に延在する回転軸周りに回転する回転体と、
前記回転体に接続され前記パネルを支持する支持部と、
前記スライド方向に沿って延在する第１レール部と、
前記パネルに設けられ、前方から見た場合に前記第１レール部と平行に延在する第２レール部と、
前記第１レール部と前記第２レール部に跨るように一端側が前記第１レール部に係合し、他端側が前記第２レール部に係合し、前記第１レール部および前記第２レール部を移動可能に設けられた移動具と、を有し、
前記駆動モータは、前記回転体を回転させるためのものであり、
前記回転体を回転させることにより、前記支持部が変位し、かつ、前記移動具が一定の長さを保ちつつ前記スライド方向に前記第１レール部および前記第２レール部を移動することにより、前記パネルが、傾斜しつつ前記スライド方向に移動する、請求項１から３のいずれか１項に記載の空気清浄機。
【請求項６】
前記フィルタの上部側に芳香成分が付着されており、
前記フィルタの下部側に殺虫成分が付着されている、請求項１から５のいずれか１項に記載の空気清浄機。
【請求項７】
前記フィルタの前面側において、前記フィルタの上端および前記フィルタの下端の一方が、前記フィルタの前記上端および前記フィルタの前記下端の他方よりも前方に位置する、請求項１から６のいずれか１項に記載の空気清浄機。
【請求項８】
前記フィルタは、前後方向に沿った厚みが下方に向かうにつれて薄くなる部分を含むように構成されている、請求項７に記載の空気清浄機。
【請求項９】
前記フィルタは、前後方向に沿った厚みが上方に向かうにつれて薄くなる部分を含むように構成されている、請求項７に記載の空気清浄機。
【発明の詳細な説明】
【技術分野】
【０００１】
本発明は、空気清浄機に関する。
【背景技術】
【０００２】
従来の空気清浄機が開示された文献として、たとえば、特開２０１６−２２４０５号公報（特許文献１）が挙げられる。
【０００３】
特許文献１に開示の空気清浄機は、下部側に吸込口が設けられた本体と、吸込口の前方側に配置されたパネルとを備える。当該パネルは、モータによって上下方向にスライド移動可能に構成されている。パネルを上下方向にスライド移動させることにより、吸込口の開口面積が変更される。人検知センサによって人が不在と判断された場合に、パネルを上方に移動させ、通常の運転時と比較して、吸込口の開口面積を増加させる。これにより、下方から吸い込む風量が多くなり、低域空間から効率的に粉塵粒子を吸い込むことができる。
【先行技術文献】
【特許文献】
【０００４】
【特許文献１】特開２０１６−２２４０５号公報
【発明の概要】
【発明が解決しようとする課題】
【０００５】
しかしながら、特許文献１に開示の空気清浄機にあっては、前方から見た場合に、パネルから露出する吸込口は、本体の下部側に限定されている。また、人検知センサの検知結果に基づいて、パネル位置を変化させるため、パネルを移動させるタイミングが限定されてしまう。
【０００６】
本発明は、上記のような問題に鑑みてなされたものであり、本発明の目的は、人の有無に関わらず、所望のタイミングで、吸込位置を変えることができる空気清浄機を提供することにある。
【課題を解決するための手段】
【０００７】
本発明の第１の局面に基づく空気清浄機は、前方に向けて開口する吸込口を有する本体と、上記吸込口に取り付けられたフィルタと、上記吸込口の前方側に配置され、上下方向に移動可能に構成されたパネルと、上記パネルを上下方向に移動させるパネル駆動部と、上記パネル駆動部の動作を制御する制御部と、上記本体の周辺のにおいを検知するにおい検知部と、を備え、上記制御部は、上記パネル駆動部の動作を制御して、上記におい検知部によってにおいが検知された場合に、前方から見て下方側に上記吸込口が露出するように上記パネルが上方側に位置する状態から、前方から見て上方側に上記吸込口が露出するように上記パネルを下方側に移動させる。
【０００８】
本発明の第２の局面に基づく空気清浄機は、前面を有し、上記前面において開口する吸込口を有する本体と、上記吸込口に取り付けられたフィルタと、上記吸込口の前方側に配置され、上記前面に対して平行な方向にスライド移動可能に構成されたパネルと、上記パネルをスライド移動させるパネル駆動部と、上記パネル駆動部の動作を制御する制御部と、上記フィルタへの埃の付着状況を検知する埃検知部と、を備え、上記制御部は、上記パネル駆動部の動作を制御して、上記埃検知部によって一定以上の埃が上記フィルタに付着していることが検知された場合に、前方から見て上記平行な方向の第１側に上記吸込口が露出するように、上記パネルが上記平行な方向において上記第１側と反対側にある第２側に位置する状態から、前方から見て上記第２側に上記吸込口が露出するように、上記パネルを上記第１側に移動させる。
【０００９】
本発明の第３の局面に基づく空気清浄機は、前面を有し、上記前面において開口する吸込口を有する本体と、上記吸込口に取り付けられたフィルタと、上記吸込口の前方側に配置され、上記前面に対して平行な方向にスライド移動可能に構成されたパネルと、上記パネルをスライド移動させるパネル駆動部と、上記パネル駆動部の動作を制御する制御部と、を備え、上記制御部は、一定時間毎に、上記パネル駆動部の動作を制御して、前方から見て上記平行な方向の第１側に上記吸込口が露出するように、上記パネルが上記平行な方向において上記第１側と反対側にある第２側に位置する状態と、前方から見て上記第２側に上記吸込口が露出するように、上記パネルが上記第１側に位置する状態とを切り替える。
【００１０】
上記第１の局面から第３の局面に基づく空気清浄機にあっては、上記パネル駆動部は、上記パネルをスライド方向に移動させるスライド機構と、上記スライド機構を駆動させる駆動モータと、を含んでいてもよい。上記スライド機構は、上記スライド方向に互いに離間して配置される第１回転および第２回転体と、上記第１回転体および上記第２回転体のうちの一方の回転体の回転力を上記第１回転体および上記第２回転体のうちの他方の回転体に伝達する回転力伝達部と、上記第１回転体に接続され上記パネルを支持する第１支持部と、上記第２回転体に接続され上記パネルを支持する第２支持部と、を有していてもよい。この場合には、上記駆動モータは、上記第１回転体および上記第２回転体のうちの上記一方の回転体を回転させるためのものであることが好ましく、上記一方の回転体を回転させ、上記回転力伝達部によって上記第１回転体および上記第２回転体の双方を回転させることにより、上記第１支持部および上記第２支持部が、上記第１支持部の姿勢と上記第２支持部の姿勢とが同じ状態で回転し、上記パネルが上記スライド方向にスライド移動することが好ましい。
【００１１】
上記第１の局面から第３の局面に基づく空気清浄機にあっては、上記パネル駆動部は、上記パネルをスライド方向に移動させるスライド機構と、上記スライド機構を駆動させる駆動モータと、を含んでいてもよい。また、上記スライド機構は、上記スライド方向と直交する方向に延在する回転軸周りに回転する回転体と、上記回転体に接続され上記パネルを支持する支持部と、上記スライド方向に沿って延在する第１レール部と、上記パネルに設けられ、前方から見た場合に上記第１レール部と平行に延在する第２レール部と、上記第１レール部と上記第２レール部に跨るように一端側が上記第１レール部に係合し、他端側が上記第２レール部に係合し、上記第１レール部および上記第２レール部を移動可能に設けられた移動具と、を有していてもよい。この場合には、上記駆動モータは、上記回転体を回転させるためのものであることが好ましく、上記回転体を回転させることにより、上記支持部が変位し、かつ、上記移動具が一定の長さを保ちつつ上記スライド方向に上記第１レール部および上記第２レール部を移動することにより、前記パネルが、傾斜しつつ前記スライド方向に移動することが好ましい。
【００１２】
上記第１の局面から第３の局面に基づく空気清浄機にあっては、上記フィルタの上部側に芳香成分が付着されていてもよく、上記フィルタの下部側に殺虫成分が付着されていてもよい。
【００１３】
上記第１の局面から第３の局面に基づく空気清浄機にあっては、上記フィルタの前面側において、上記フィルタの上端および上記フィルタの下端の一方が、上記フィルタの上記上端および上記フィルタの上記下端の他方よりも前方に位置していてもよい。
【００１４】
上記第１の局面から第３の局面に基づく空気清浄機にあっては、上記フィルタは、前後方向に沿った厚みが下方に向かうにつれて薄くなる部分を含むように構成されていてもよい。
【００１５】
上記第１の局面から第３の局面に基づく空気清浄機にあっては、上記フィルタは、前後方向に沿った厚みが上方に向かうにつれて薄くなる部分を含むように構成されていてもよい。
【発明の効果】
【００１６】
本発明によれば、人の有無に関わらず、所望のタイミングで、吸込位置を変えることができる空気清浄機を提供することができる。
【図面の簡単な説明】
【００１７】
【図１】実施の形態１に係る空気清浄機の斜視図である。
【図２】実施の形態１に係る空気清浄機において、パネルをスライド移動させるパネル駆動部を示す概略図である。
【図３】実施の形態１に係る空気清浄機の構成を示すブロック図である。
【図４】実施の形態１に係る空気清浄機のパネルが上方側に位置する状態を示す正面図である。
【図５】実施の形態１に係る空気清浄機のパネルが下方側に位置する状態を示す正面図である。
【図６】実施の形態１に係る空気清浄機のフィルタの概略側面図である。
【図７】実施の形態２に係る空気清浄機の構成を示すブロック図である。
【図８】実施の形態３に係る空気清浄機の構成を示すブロック図である。
【図９】実施の形態４に係る空気清浄機におけるパネルの移動動作を説明するための図である。
【図１０】実施の形態５に係る空気清浄機において、パネルをスライド移動させるパネル駆動部を示す概略斜視図である。
【図１１】実施の形態５に係る空気清浄機において、パネルが上方側に位置する状態のパネル駆動部を示す概略側面図である。
【図１２】実施の形態５に係る空気清浄機において、パネルが下方側に位置する状態のパネル駆動部を示す概略側面図である。
【図１３】比較例１に係るパネル駆動部を示す概略図である。
【図１４】実施の形態６に係る空気清浄機において、パネルが上方側に位置する状態のパネル駆動部を示す概略側面図である。
【図１５】実施の形態６に係る空気清浄機において、パネルが下方側に位置する状態のパネル駆動部を示す概略側面図である。
【図１６】実施の形態７に係る空気清浄機において、パネルをスライド移動させるパネル駆動部を示す概略斜視図である。
【図１７】実施の形態８に係る空気清浄機において、パネルが上方側に位置する状態のパネル駆動部を示す概略図である。
【図１８】実施の形態８に係る空気清浄機において、パネルが下方側に位置する状態のパネル駆動部を示す概略図である。
【図１９】実施の形態９に係る空気清浄機のパネルおよびフィルタを示す概略側面図である。
【図２０】実施の形態１０に係る空気清浄機のパネルおよびフィルタを示す概略側面図である。
【図２１】実施の形態１１に係る空気清浄機のパネルおよびフィルタを示す概略側面図である。
【図２２】他の変形例に係る空気清浄機の斜視図である。
【発明を実施するための形態】
【００１８】
以下、本発明の実施の形態について、図を参照して詳細に説明する。なお、以下に示す実施の形態においては、同一のまたは共通する部分について図中同一の符号を付し、その説明は繰り返さない。
【００１９】
（実施の形態１）
図１は、実施の形態１に係る空気清浄機の斜視図である。図１を参照して、実施の形態１に係る空気清浄機１００について説明する。
【００２０】
図１に示すように、空気清浄機１００は、前面１ａを有し、前面において開口する吸込口３を有する本体１と、吸込口３に取り付けられたフィルタ７と、吸込口３の前方側に配置され、上下方向（図２中ＤＲ１方向）に移動可能に構成されたパネル２とを備える。
【００２１】
本体１とパネル２との間には、空隙５が設けられている。パネル２は、たとえば化粧板によって構成されている。パネル２は、一対の支持部３５によって支持されている。一対の支持部３５は、左右方向に並んで配置されている。なお、支持部３５の数は、２つに限定されず、他の数であってもよい。
【００２２】
フィルタ７は、縦と横との繊維によって編まれた網状の構造を有する。フィルタ７は、メッシュ系よりも大きい異物が本体１の内部に進入することを防止する。
【００２３】
図１中の矢印ＡＲ１に示されるように、間隙５を通ってパネル２の裏面側に入り込んだ空気は、本体１の内部で必要に応じて処理され、例えば本体１の上部側に設けられた吹出口（不図示）から吹出される。
【００２４】
図２は、実施の形態１に係る空気清浄機において、パネルをスライド移動させるパネル駆動部を示す概略図である。図２を参照して、パネル２をスライド移動させるパネル駆動部２０について説明する。
【００２５】
図２に示すように、空気清浄機１００は、パネル駆動部２０を備える。パネル駆動部２０は、パネル２をスライド方向に移動させるスライド機構３０と、スライド機構を駆動させる駆動モータ（不図示）と、を含む。
【００２６】
スライド機構３０は、シャフト３１と、回転体３３と、上記支持部３５と、ラック部３７と、レール部３８と、係合部３９とを有する。
【００２７】
シャフト３１は、パネル２に平行であり、かつ、パネルのスライド方向（本実施の形態においては上下方向）に直交する方向に延在する。シャフト３１は、中心軸周りに回転可能に構成されている。
【００２８】
回転体３３は、シャフト３１に固定され、シャフト３１の回転に伴って回転する。回転体３３は、たとえばギヤによって構成されている。回転体３３は、ラック部３７に噛合う。ラック部３７は、上下方向に延在する。ラック部３７は、パネル２の裏面側に設けられている。
【００２９】
支持部３５は、本体１に固定されている。より具体的には、支持部３５は、上下方向における本体１の略中央部であって、左右方向における本体１の両端に設けられている。支持部３５は、前方に突出するように設けられている。支持部３５の前端側には、レール部３８に係合する係合部３９が設けられている。
【００３０】
レール部３８は、左右両端に位置するパネル２の両側面に設けられている。レール部３８は、上下方向に延在する。レール部３８は、係合部３９に対して上下方向に移動可能に構成されている。上記駆動モータは、シャフト３１をその中心軸周りに回転させる。
【００３１】
駆動モータによってシャフト３１が回転させられると、回転体３３が回転する。回転体３３が回転することにより、回転体３３に噛合うラック部３７が、上下方向に移動する。たとえば、回転体３３が時計周りに回転することにより、ラック部３７が上方に向けて移動し、回転体３３が反時計回りに回転することにより、ラック部３７が下方に向けて移動する。この際、ラック部３７の移動方向に沿ってレール部３８が係合部３９に摺動しながら移動し、パネル２がスライド移動する。
【００３２】
図３は、実施の形態１に係る空気清浄機の構成を示すブロック図である。図３を参照して、空気清浄機１００の構成について説明する。
【００３３】
空気清浄機１００は、制御部５０、におい検知部６０をさらに備える。におい検知部６０は、たとえば本体１の上部側に設けられている。におい検知部６０は、本体周辺のにおいを検知する。制御部５０は、本体１の内部に設けられている。制御部５０は、空気清浄機１００の全般的な動作を制御する。制御部５０は、におい検知部６０の検知結果に基づいて、パネル駆動部２０の動作を制御する。
【００３４】
図４は、実施の形態１に係る空気清浄機のパネルが上方側に位置する状態を示す正面図である。図５は、実施の形態１に係る空気清浄機のパネルが下方側に位置する状態を示す正面図である。図４および図５を参照して、パネル２の移動動作について説明する。
【００３５】
図４に示すように、通常時の状態、すなわち、におい検知部６０によってにおいが検知されない状態においては、前方から見て下方側に吸込口３が露出するようにパネル２が上方側に位置する。
【００３６】
におい検知部６０によってにおいが検知された場合には、図５に示すように、制御部５０は、パネル駆動部２０を制御して、前方から見て上方側に吸込口３が露出するようにパネル２を下方側に移動させる。
【００３７】
なお、におい検知部６０によってにおいが検知された状態とは、たとえば、におい検知部６０によって検知されたにおい強度が、予め定められた所定の基準値を上回る場合を示す。
【００３８】
図６は、実施の形態１に係る空気清浄機のフィルタの概略側面図である。図６を参照して、フィルタ７について説明する。
【００３９】
図６に示すように、フィルタ７の上部側には、芳香成分９が付着されており、フィルタ７の下部側には殺虫成分８が付着されている。フィルタ７は、厚さ方向（前後方向）に相対する前面７ａおよび後面７ｂを有し、たとえば、後面７ｂ側に芳香成分９および殺虫成分８が付着されている。
【００４０】
パネル２が上方に位置し、下方側に吸込口３が露出する場合には、下方側から吸い込まれた空気が、主として殺虫成分８が付着された部分のフィルタを通過する。これにより、吹出口から殺虫成分を室内に放出することができる。
【００４１】
一方、においが検知され、パネル２が下方に位置し、上方側に吸込口３が露出する場合には、上方側から吸い込まれた空気が、主として芳香成分９が付着された部分のフィルタを通過する。これにより、吹出口から芳香成分を室内に放出することができる。
【００４２】
以上のように、実施の形態１に係る空気清浄機にあっては、制御部５０は、パネル駆動部２０の動作を制御して、におい検知部６０によってにおいが検知された場合に、前方から見て下方側に吸込口３が露出するようにパネル２が上方側に位置する状態から、前方から見て上方側に吸込口３が露出するようにパネル２を下方側に移動させる。
【００４３】
室内において、におい成分は、大きくて重い埃やダニ等のハウスダストと比較して、床側よりも高い位置に浮遊する。このため、におい検知部６０によってにおいを検知したタイミングで吸込み位置を上方側に変更することにより、におい成分を効率よく本体１内に吸い込み、処理することが可能となる。
【００４４】
このように、実施の形態１に係る空気清浄機１００においては、人の有無に関わらず、所望のタイミングで、吸込位置を変えることができる。
【００４５】
（実施の形態２）
図７は、実施の形態２に係る空気清浄機の構成を示すブロック図である。図７を参照して、実施の形態２に係る空気清浄機１００Ａについて説明する。
【００４６】
図７に示すように、実施の形態２に係る空気清浄機１００Ａは、実施の形態１に係る空気清浄機１００と比較した場合に、埃検知部としての風量検知部６０Ａを備えている点およびパネル２を移動させるタイミングが相違する。その他の構成については、ほぼ同様である。
【００４７】
風量検知部６０Ａは、たとえば吸込口３と吹出口（不図示）とを接続する風路内に設置されている。風量検知部６０Ａは、上記風路内を流れる空気の量を検知する。本体１内に設置された送風機の出力を一定とした場合において、フィルタ７に埃が一定以上付着した場合には、通常時の運転と比較して、フィルタ７を通って本体１内に吸い込まれる空気の量（風量）は低下する。このように、風量検知部６０Ａを用いて風量を検知することにより、フィルタ７への埃の付着状況（より具体的には、フィルタ７に埃が一定以上付着したか否か）を検知することができる。
【００４８】
制御部５０は、風量検知部６０Ａによって検知された検知結果に基づいて、パネル駆動部２０を制御する。
【００４９】
制御部５０は、パネル駆動部２０の動作を制御して、風量検知部６０Ａによって一定以上の埃がフィルタ７に付着していることが検知された場合に、前方から見て下方側に吸込口３が露出するように、パネル２が下方側に位置する状態から、前方から見て上方に吸込口３が露出するように、パネル２を下方側に移動させる。
【００５０】
このように、人の有無に関わらず、風量検知部６０Ａによって一定以上の埃がフィルタ７に付着していることが検知されたタイミングで吸込み位置を変更することにより、吸込口３から安定して空気を吸い込むことができる。
【００５１】
なお、実施の形態２においては、パネル２が上下方向にスライド移動可能に構成されている場合を例示したが、これに限定されず、パネル２は、左右方向にスライド移動可能に構成されていてもよいし、斜め方向にスライド可能に構成されていてもよい。すなわち、パネル２は、本体１の前面１ａに対して平行な方向にスライド移動可能に構成されていればよい。
【００５２】
この場合には、制御部５０は、パネル駆動部の動作を制御して、風量検知部によって一定以上の埃がフィルタ７に付着していることが検知された場合に、前方から見て前面１ａに対して平行な方向に第１側に吸込口３が露出するように、パネル２が前面１ａに対して平行な方向において第１側と反対側である第２側に位置する状態から、前方から見て第２側に吸込口３が露出するように、パネル２を第１側に移動させる。
【００５３】
また、実施の形態２においては、埃検知部として、風量検知部６０Ａを用いる場合を例示して説明したが、これに限定されず、光学センサを用いてもよいし、サーミスタを用いてもよい。
【００５４】
光学センサを用いる場合には、埃によって出射部から出射された光が散乱または遮蔽され、受光部における受光量が所定の値よりも下回った場合に、フィルタ７に一定以上の埃が付着したことを検知することができる。
【００５５】
サーミスタを用いる場合には、サーミスタを送風機の近傍に設置する。一定の吹出量が吹き出されるように、送風機の回転数が制御されている場合には、一定以上の埃がフィルタ７に付着した場合には、吸込量を多くしようとして、送風機の回転数が上昇する。この場合には、送風機が高温状態となり、送風機近傍の温度が上昇する。このため、サーミスタによって、所定の温度に達したことを検知することにより、フィルタ７に一定以上の埃が付着したことを検知することができる。
【００５６】
（実施の形態３）
図８は、実施の形態３に係る空気清浄機の構成を示すブロック図である。図８を参照して、実施の形態３に係る空気清浄機の構成について説明する。
【００５７】
図８に示すように、実施の形態３に係る空気清浄機１００Ｂは、実施の形態１に係る空気清浄機１００と比較した場合に、パネル２を移動させるタイミングが相違する。その他の構成については、ほぼ同様である。
【００５８】
実施の形態３においては、制御部５０に設けられたタイマー６０Ｂによって、パネル２を移動させるタイミングを決定する。パネル２は、本体１の前面１ａに対して平行な方向にスライド移動可能に構成されている。
【００５９】
制御部５０は、一定時間毎に、パネル駆動部２０の動作を制御して、前方から見て本体１の前面１ａに平行な方向の第１側に吸込口３が露出するように、パネル２が上記前面１ａに平行な方向において第１側と反対側にある第２側に位置する状態と、前方から見て第２側に吸込口３が露出するように、パネル２が第１側に位置する状態とを切り替える。
【００６０】
このように、人の有無に関わらず、タイマー６０Ｂによって時間を経過し、所定の経過時間毎に、パネル２を移動させて吸込位置を変えることにより、埃がフィルタ７に付着する領域を分散させることができる。これにより、吸込口３から安定して空気を吸い込むことができる。
【００６１】
（実施の形態４）
図９は、実施の形態４に係る空気清浄機におけるパネルの移動動作を説明するための図である。図９を参照して、実施の形態４に係る空気清浄機１００Ｃについて説明する。
【００６２】
図９に示すように、実施の形態４に係る空気清浄機１００Ｃは、実施の形態３に係る空気清浄機１００Ｂと比較して、パネル２の構成が相違する。その他の構成については、ほぼ同様である。
【００６３】
パネル２は、第１パネル２Ａおよび第２パネル２Ｂを含む。第１パネル２Ａおよび第２パネル２Ｂは、上下方向に並んで配置されており、上下方向に分割可能に構成されている。
【００６４】
この場合においては、制御部５０は、一定時間毎に、前方から見て上方側に吸込口３が露出するように、第１パネル２Ａが下方側に位置する状態と、前方から見て下方側に吸込口３が露出するように第１パネル２Ａが下方側に位置する状態とを切り替える。
【００６５】
第１パネル２Ａが下方側に位置する状態を点線で示し、第１パネル２Ａが上方に位置する状態を実線で示している。
【００６６】
第１パネル２Ａおよび第２パネル２Ｂは、前方から見て本体１の前面１ａに平行な方向に並んで配置されており、当該平行な方向に分離可能に構成されていればよい。
【００６７】
この場合においては、制御部５０は、一定時間毎に、前方から見て本体１の前面１ａに平行な方向の第１側に吸込口３が露出するように、第１パネル２Ａが上記前面１ａに平行な方向において第１側と反対側にある第２側に位置する状態と、前方から見て第２側に吸込口３が露出するように、第１パネル２Ａが第１側に位置する状態とを切り替える。
【００６８】
以上のように構成される場合であっても、実施の形態４に係る空気清浄機１００Ｃは、実施の形態３とほぼ同様の効果が得られる。
【００６９】
（実施の形態５）
図１０は、実施の形態５に係る空気清浄機において、パネルをスライド移動させるパネル駆動部を示す概略斜視図である。図１０を参照して、実施の形態５に係る空気清浄機について説明する。
【００７０】
図１０に示すように、実施の形態５に係る空気清浄機は、実施の形態１に係る空気清浄機１００と比較した場合に、パネル駆動部２０Ｄの構成が相違する。その他の構成については、ほぼ同様である。
【００７１】
パネル駆動部２０Ｄは、パネル２をスライド方向に移動させるスライド機構３０Ｄと、スライド機構を駆動させる単一の駆動モータ４０とを含む。
【００７２】
スライド機構３０Ｄは、第１シャフト３１Ｄと、第２シャフト３２Ｄと、回転力伝達部３７Ｄと、第１回転体３３Ｄと、第２回転体３４Ｄと、第１支持部３５Ｄと、第２支持部３６Ｄと、を有する。
【００７３】
第１シャフト３１Ｄは、パネル２に平行であり、かつ、パネル２のスライド方向（本実施の形態においては上下方向）に直交する方向に延在する。第１シャフト３１Ｄは、中心軸周りに回転可能に構成されている。
【００７４】
第２シャフト３２Ｄは、第１シャフト３１Ｄからパネル２のスライド方向に離間して、第１シャフト３１Ｄと平行に配置されている。第２シャフト３２Ｄは、中心軸周りに回転可能に構成されている。第２シャフト３２Ｄの回転方向は第１シャフト３１Ｄの回転方向と同じである。
【００７５】
回転力伝達部３７Ｄは、第１回転体３３の回転力を第２回転体３４に伝達する。第１回転体３３の回転力が第２回転体３４に伝達されることにより、第２回転体３４が回転する。回転力伝達部３７Ｄは、たとえば、棒状部材によって構成されている。回転力伝達部３７Ｄの上端側は、第２回転体３４Ｄの主面に接続され、回転力伝達部３７Ｄの下端側は、第１回転体３３Ｄの主面に接続されている。
【００７６】
第１回転体３３Ｄは、第１シャフト３１Ｄに固定されている。第１回転体３３Ｄは、たとえば、２つ設けられている。２つの第１回転体３３Ｄは、第１シャフト３１Ｄの両端側に固定されている。２つの第１回転体３３Ｄは、第１シャフト３１Ｄの回転に伴って、等速で第１シャフト３１Ｄの回転軸周りに回転する。
【００７７】
第２回転体３４Ｄは、第２シャフト３２Ｄに固定されている。第２回転体３４Ｄは、たとえば、２つ設けられている。２つの第２回転体３４Ｄは、第２シャフト３２Ｄの両端側に固定されている。第２シャフト３２Ｄの一方側に位置する第２回転体３４Ｄが回転することにより、第２シャフト３２Ｄが回転する。この第２シャフト３２Ｄの回転により、第２シャフト３２Ｄの他方側に位置する第２回転体３４Ｄも回転する。２つの第２回転体３４Ｄは、等速で第２シャフト３２Ｄの回転軸周りに回転する。第２回転体３４Ｄの回転方向は、第１回転体３３Ｄの回転方向と同じである。
【００７８】
第１支持部３５Ｄは、第１回転体３３Ｄに接続され、パネル２を支持する。第１支持部３５Ｄは、第１回転体３３Ｄが回転した場合であっても、パネル２に対する角度が一定となるように第１回転体３３Ｄに接続されている。具体的には、第１支持部３５Ｄは、前後方向（図１１，１２中における左右方向）に姿勢が維持されるように第１回転体３３Ｄに接続されている。
【００７９】
第２支持部３６Ｄは、第２回転体３４Ｄに接続され、パネル２を支持する。第２支持部３６Ｄは、第２回転体３４Ｄが回転した場合であっても、パネル２に対する角度が一定となるように第１回転体３３Ｄに接続されている。具体的には、第１支持部３６Ｄは、前後方向（図１１，１２中における左右方向）に姿勢が維持されるように第２回転体３４Ｄに接続されている。第２支持部３６Ｄは、第１支持部３５Ｄと略同一の形状を有する。パネル２に対する第２支持部３６Ｄの交差角は、パネル２に対する第１支持部３５Ｄの交差角と略同一である。
【００８０】
駆動モータ４０は、第１シャフト３１Ｄをその中心軸周りに回転させる。駆動モータ４０は、第１シャフト３１Ｄの一端側に設けられている。
【００８１】
図１１は、実施の形態５に係る空気清浄機において、パネルが上方側に位置する状態のパネル駆動部を示す概略側面図である。図１２は、実施の形態５に係る空気清浄機において、パネルが下方側に位置する状態のパネル駆動部を示す概略側面図である。図１１および図１２を参照して、パネル２の移動動作について説明する。
【００８２】
図１１に示すように、通常時の状態においては、前方から見て下方側に吸込口３が露出するようにパネル２が上方側に位置する。
【００８３】
この状態から、駆動モータ４０によって第１シャフト３１Ｄを回転させる。具体的には、第１回転体３３ＤがＡＲ２方向に回転するように、第１シャフト３１Ｄを回転させる。第１回転体３３Ｄを回転させることにより、上述のように回転力伝達部３７Ｄによって第２回転体３４Ｄが回転し、第２シャフト３２Ｄが第１シャフト３１Ｄと同一方向に回転する。このように、第１回転体３３Ｄを回転させ、回転力伝達部３７Ｄによって、第１回転体３３Ｄおよび第２回転体３４Ｄの双方をＡＲ２方向に回転させる。
【００８４】
この際、第１支持部３５Ｄおよび第２支持部３６Ｄが、第１支持部３５Ｄの姿勢と第２支持部３６Ｄの姿勢とが同じ状態で回転し、パネル２がスライド方向にスライド移動する。この結果、図１２に示すように、前方から見て上方側に吸込口３が露出するようにパネル２が下方側に位置することとなる。
【００８５】
このように、パネル駆動部２０Ｄを構成した場合であっても、実施の形態１に係る効果とほぼ同様の効果が得られる。
【００８６】
（比較例１）
図１３は、比較例１におけるパネル駆動部を示す概略図である。図１３を参照して、比較例１におけるパネル駆動部２０Ｘについて説明する。
【００８７】
図１３に示すように、比較例１におけるパネル駆動部２０Ｘは、実施の形態５に係るパネル駆動部２０Ｄと比較して、回転力伝達部３７Ｄが設けられておらず、第１シャフト３１Ｄおよび第２シャフト３２Ｄの各々が、互いに独立して回転される点が主として相違する。
【００８８】
パネル駆動部２０Ｘは、第１シャフト３１Ｄと、第２シャフト３２Ｄと、第１回転体３３Ｘと、第２回転体３４Ｘと、第１駆動モータ４１と、第２駆動モータ４２とを含む。
【００８９】
第１シャフト３１Ｄおよび第２シャフト３２Ｄは、実施の形態５に係る第１シャフト３１Ｄおよび第２シャフト３２Ｄと同様に設けられている。
【００９０】
第１回転体３３Ｘは、第１シャフト３１Ｄに固定されている。第１回転体３３Ｘは、第１シャフト３１Ｄの回転に伴って第１シャフト３１Ｄの回転軸周りに回転する。第１回転体３３Ｘは、ギヤによって構成されている。第１回転体３３Ｘは、パネル２の裏面側に設けられた不図示のラック部に噛合う。
【００９１】
第２回転体３４Ｘは、第２シャフト３２Ｄに固定されている。第２回転体３４Ｘは、第２シャフト３２Ｄの回転に伴って第２シャフト３２Ｄの回転軸周りに回転する。第２回転体３４Ｘは、ギヤによって構成されている。第２回転体３４Ｘは、パネル２の裏面側に設けられた不図示のラック部に噛合う。
【００９２】
上述のラック部は、第１回転体３３Ｘおよび第２回転体３４Ｘに噛合うように、上下方向（パネルのスライド方向）に沿って延在している。
【００９３】
第１駆動モータ４１は、第１シャフト３１Ｄをその中心軸周りに回転させる。第２駆動モータ４２は、第２シャフト３２Ｄをその中心軸周りに回転させる。第２駆動モータ４２は、第１駆動モータ４１に同期して、第２シャフト３２Ｄを回転させる。第１シャフト３１Ｄの回転方向と第２シャフト３２Ｄの回転方向は同じである。
【００９４】
第１駆動モータ４１によって第１シャフト３１Ｄが回転させられると、第１回転体３３Ｘが回転する。また、第２駆動モータ４２によって第２シャフト３２Ｄが回転させられると、第２回転体３４Ｘが回転する。
【００９５】
第１回転体３３Ｘおよび第２回転体３４Ｘが回転することにより、これらに噛合う上述のラック部が上下方向に移動する。たとえば、第１回転体３３Ｘおよび第２回転体３４Ｘが時計回りに回転することにより、ラック部が上方に向けて移動する。これにより、パネル２が上方に向けて移動する。第１回転体３３Ｘおよび第２回転体３４Ｘが反時計周りに回転することにより、ラック部が下方に向けて移動する。これにより、パネル２が下方に向けて移動する。
【００９６】
（比較例１と比較した実施の形態５と比較した効果）
比較例１におけるパネル駆動部２０Ｘにおいては、第１駆動モータ４１で第１シャフト３１Ｄを回転させ、第２駆動モータ４２で第２シャフト３２Ｄを回転させる。このため、駆動モータの個数が増加する。加えて、ギヤおよびラック部を用いてパネル２をスライド移動させるため、パネル駆動部２０Ｘの構成が複雑となる。
【００９７】
この点、実施の形態５に係るパネル駆動部２０Ｄにおいては、回転力伝達部３７Ｄを設けることにより、第１回転体３３Ｄの回転力を第２回転体３４Ｄに伝達する。これにより、単一の駆動モータ４０で、第１シャフト３１Ｄおよび第２シャフト３２Ｄを回転させることができる。この結果、部品点数を削減することができる。また、ギヤおよびラック部を用いずに、回転体と支持部の動作によってパネル２をスライド移動させるため、パネル駆動部２０Ｄの構成を簡素化することができる。
【００９８】
（実施の形態６）
図１４は、実施の形態６に係る空気清浄機において、パネルが上方側に位置する状態のパネル駆動部を示す概略側面図である。図１５は、実施の形態６に係る空気清浄機において、パネルが下方側に位置する状態のパネル駆動部を示す概略側面図である。図１４および図１５を参照して、実施の形態６に係る空気清浄機について説明する。
【００９９】
実施の形態６に係る空気清浄機は、実施の形態５に係る空気清浄機と比較した場合に、パネル駆動部におけるスライド機構３０Ｅの構成が相違する。その他の構成についてはほぼ同様である。
【０１００】
実施の形態６に係るスライド機構３０Ｅは、実施の形態５に係るスライド機構３０Ｄと比較して、第１支持部３５Ｅおよび第２支持部３６Ｅが、パネル２に対して姿勢が変化するように、第１回転体３３Ｄおよび第２回転体３４Ｄに接続されている点において相違する。
【０１０１】
第１支持部３５Ｅは、第１回転体３３Ｄの径方向外側に向けて突出するように設けられている。第１支持部３５Ｅの中心軸は、第１回転体３３Ｄの中心を通過する。第２支持部３６Ｅは、第２回転体３４Ｄと同一の方向に向けて突出するように設けられている。第２支持部３６Ｅの中心軸は、第２回転体３４Ｄの中心を通過する。前後方向に対する第１支持部３５Ｅの交差角は、前後方向に対する第２支持部３６Ｅの交差角と同一である。
【０１０２】
図１４に示すように、通常時の状態においては、前方から見て下方側に吸込口３が露出するようにパネル２が上方側に位置する。
【０１０３】
この状態から、駆動モータ４０によって第１シャフト３１Ｄを回転させる。具体的には、第１回転体３３ＤがＡＲ２方向に回転するように、第１シャフト３１Ｄを回転させる。第１回転体３３Ｄを回転させることにより、上述のように回転力伝達部３７Ｄによって第２回転体３４Ｄが回転し、第２シャフト３２Ｄが第１シャフト３１Ｄと同一方向に回転する。このように、第１回転体３３Ｄを回転させ、回転力伝達部３７Ｄによって、第１回転体３３Ｄおよび第２回転体３４Ｄの双方をＡＲ２方向に回転させる。
【０１０４】
この際、第１支持部３５Ｅおよび第２支持部３６Ｅが、第１支持部３５Ｅの姿勢と第２支持部３６Ｅの姿勢とが同じ状態で回転し、パネル２がスライド方向にスライド移動する。具体的には、前後方向に対する第１回転体３３Ｄの交差角および前後方向に対する第２回転体３４Ｄの交差角とが、同じように回転に伴って小さくなりつつ、第１支持部３５Ｅおよび第２支持部３６Ｅが変位する。これにより、パネル２がスライド移動する。この結果、図１５に示すように、前方から見て上方側に吸込口３が露出するようにパネル２が下方側に位置することとなる。
【０１０５】
以上のように構成される場合であっても、実施の形態６に係る空気清浄機は、実施の形態５に係る空気清浄機とほぼ同様の効果が得られる。
【０１０６】
（実施の形態７）
図１６は、実施の形態７に係る空気清浄機において、パネルをスライド移動させるパネル駆動部を示す概略斜視図である。図１６を参照して、実施の形態７に係る空気清浄機について説明する。
【０１０７】
実施の形態７に係る空気清浄機は、実施の形態５に係る空気清浄機と比較した場合に、パネル駆動部２０Ｅ２の構成が相違する。その他の構成についてはほぼ同様である。パネル駆動部２０Ｅ２は、スライド機構３０Ｅ２が、第１回転体３３Ｄに噛合う第３回転体４３Ｅを有する。単一の駆動モータ４０によって、第３回転体４３Ｅを回転させることにより、第１シャフト３１Ｄの一方側に位置する第１回転体３３Ｄが回転することにより、第１シャフト３１Ｄが回転する。この第１シャフト３１Ｄの回転により、第１シャフト３１Ｄの他方側に位置する第１回転体３３Ｄも回転する。２つの第１回転体３３Ｄは、等速で第１シャフト３１Ｄの回転軸周りに回転する。
【０１０８】
また、第１シャフト３１Ｄの一方側の第１回転体３３Ｄが回転することにより、回転動力伝達部３７Ｄによって、第２シャフト３２Ｄの一方側に位置する第２回転体３４Ｄが回転する。これにより、第２シャフト３２Ｄが回転する。この第２シャフト３２Ｄの回転により、第２シャフト３２Ｄの他方側に位置する第２回転体３４Ｄも回転する。２つの第２回転体３４Ｄは、等速で第２シャフト３２Ｄの回転軸周りに回転する。第２回転体３４Ｄの回転方向は、第１回転体３３Ｄの回転方向と同じである。
【０１０９】
このように、単一の駆動モータ４０によって第１回転体３３Ｄを回転させ、回転力伝達部３７Ｄによって第１回転体３３Ｄおよび第２回転体３４Ｄの双方を回転させることにより、第１支持部３５Ｄおよび第２支持部３６Ｄが、第１支持部３５Ｄの姿勢と第２支持部３６Ｄの姿勢とが同じ状態で回転し、パネル２がスライド方向にスライド移動する。
【０１１０】
（実施の形態８）
図１７は、実施の形態８に係る空気清浄機において、パネルが上方側に位置する状態のパネル駆動部を示す概略図である。図１８は、実施の形態８に係る空気清浄機において、パネルが下方側に位置する状態のパネル駆動部を示す概略図である。図１７および図１８を参照して、実施の形態８に係る空気清浄機について説明する。
【０１１１】
図１７および図１８に示すように、実施の形態８に係る空気清浄機は、実施の形態５に係る空気清浄機と比較した場合に、パネル駆動部におけるスライド機構３０Ｆの構成が相違する。その他の構成についてはほぼ同様である。
【０１１２】
パネル駆動部は、スライド機構３０Ｆと、駆動モータ（不図示）とを含む。スライド機構３０Ｆは、シャフト３１と、回転体３３と、支持部３５と、第１レール部３７Ｆと、第２レール部３８Ｆと、移動具３９Ｆとを有する。
【０１１３】
シャフト３１は、パネル２に平行であり、かつ、パネル２のスライド方向に直交する方向に延在する。
【０１１４】
回転体３３は、シャフト３１に固定されている。回転体３３は、シャフト３１の回転に伴ってシャフト３１の回転軸周りに回転する。
【０１１５】
支持部３５は、回転体３３に接続され、パネル２を支持する。支持部３５は、回転体３３が回転した場合であっても、回転体３３に対して同一姿勢が維持されるように、回転体３３に接続されている。
【０１１６】
第１レール部３７Ｆは、上下方向に沿って延在する。第２レール部３８Ｆは、パネル２に設けられている。第２レール部３８Ｆは、パネル２に沿って設けられている。第２レール部３８Ｆは、前方から見た場合に、第１レール部と略平行となる。
【０１１７】
移動具３９Ｆは、第１レール部３７Ｆおよび第２レール部３８Ｆに跨るように設けられている。第１レール部３７Ｆおよび第２レール部３８Ｆを移動可能に設けられている。移動具３９Ｆの一端側は、第１レール部３７Ｆに係合している。移動具３９Ｆの他端側は、第２レール部３８Ｆに係合している。
【０１１８】
上記駆動モータ（不図示）は、シャフト３１の一端側に接続されている。駆動モータは、シャフト３１を回転させる。
【０１１９】
図１７に示すように、通常時の状態においては、前方から見て下方側に吸込口３が露出するようにパネル２が上方側に位置する。
【０１２０】
この状態から、駆動モータによってシャフト３１を回転させる。具体的には、回転体３３がＡＲ２方向に回転するように、シャフト３１を回転させる。これにより、支持部３５が変位する。
【０１２１】
この際、移動具３９Ｆが一定の長さを保ちつつスライド方向に第１レール部３７Ｆおよび第２レール部３８Ｆを移動する。これにより、パネル２が、傾斜しつつスライド方向に移動する。この結果、図１８に示すように、前方から見えて上方側に吸込口３が露出するようにパネル２が下方側に位置することとなる。
【０１２２】
（実施の形態９）
図１９は、実施の形態９に係る空気清浄機のパネルおよびフィルタを示す概略側面図である。図１９を参照して、実施の形態９に係る空気清浄機のフィルタ７Ｇについて説明する。
【０１２３】
図１９に示すように、実施の形態９に係る空気清浄機は、実施の形態１に係る空気清浄機１００と比較して、フィルタ７Ｇの形状が相違する。その他の構成については、ほぼ同様である。
【０１２４】
フィルタ７Ｇは、厚み方向に相対する前面７ａおよび後面７ｂを有する。フィルタ７Ｇの前面７ａ側において、フィルタ７Ｇの上端７ａ１は、フィルタ７Ｇの下端７ａ２よりも前方に位置する。
【０１２５】
フィルタ７Ｇは、前後方向に沿った厚みが下方に向かうにつれて薄くなる部分を含むように構成されている。
【０１２６】
このように構成される場合であっても、実施の形態９に係る空気清浄機は、実施の形態１に係る空気清浄機とほぼ同様の効果を有する。
【０１２７】
加えて、フィルタ７Ｇが上記のように構成されることにより、二点鎖線で示すように、前面７ａ側がパネル２に対して平行であり、かつ、上端７ａ１から下端７ａ２にかけて厚さが一定である場合と比較して、フィルタ７Ｇの上部側であり、その前方側に位置する空間を、後方側に向けて広げることができる。これにより、矢印にて示すように空気が吸い込まれることとなり、上部側にて吸込める空気の量を増加させることができる。この結果、広範囲に亘って集塵効果を発揮させることができる。特にこのような効果は、吸込口３が下方に位置する場合において期待することができる。
【０１２８】
（実施の形態１０）
図２０は、実施の形態１０に係る空気清浄機のパネルおよびフィルタを示す概略側面図である。図２０を参照して、実施の形態１０に係る空気清浄機のフィルタ７Ｈについて説明する。
【０１２９】
図２０に示すように、実施の形態１０に係る空気清浄機は、実施の形態９に係る空気清浄機と比較して、フィルタ７Ｈの構成が相違する。フィルタ７Ｈは、前後方向に沿った厚さが、上下方向に略一定となるように構成されている。
【０１３０】
このように構成される場合であっても、実施の形態１０に係る空気清浄機は、実施の形態９に係る空気清浄機とほぼ同様の効果が得られる。
【０１３１】
加えて、フィルタ７Ｈの上部側の厚さが、実施の形態９に係るフィルタＧと比較して薄くすることができるため、フィルタ７Ｈの上部側の圧損を小さくすることができる。これにより、フィルタ７Ｈの上部側にてより多くの空気を吸い込むことができ、集塵効果を高めることができる。
【０１３２】
（実施の形態１１）
図２１は、実施の形態１１に係る空気清浄機のパネルおよびフィルタを示す概略側面図である。図２１を参照して、実施の形態１１に係る空気清浄機のフィルタ７Ｉについて説明する。
【０１３３】
図２１に示すように、実施の形態１１に係る空気清浄機は、実施の形態９に係る空気清浄機と比較して、フィルタ７Ｉの構成が相違する。フィルタ７Ｉは、前後方向に沿った厚さが、上方に向うにつれて薄くなる部分を含むように構成されている。フィルタ７Ｉの上部側の厚さは、フィルタ７Ｉの下部側の厚さよりも薄くなっている。
【０１３４】
このように構成される場合であっても、実施の形態１０に係る空気清浄機は、実施の形態９に係る空気清浄機とほぼ同様の効果が得られる。
【０１３５】
加えて、フィルタ７Ｉの上部側の厚さが、実施の形態９に係るフィルタＧと比較して薄くすることができるため、フィルタ７Ｉの上部側の圧損を小さくすることができる。また、上部側および下部側にて厚さを適宜調整することにより、略均一に空気を吸い込むことができる。これにより、フィルタ７Ｉの集塵効果をさらに高めることができる。
【０１３６】
なお、上述した実施の形態９から１１に係るフィルタは、前面側において、上端７ａ１が下端７ａ２よりも前方に位置するように構成される場合を例示して説明したが、これに限定されず、下端７ａ２が上端７ａ１よりも前方に位置するように構成されていてもよい。この場合においては、フィルタの下部側であり、その前方側に位置する空間を、後方側に向けて広げることができる。これにより、広範囲に亘って集塵効果を発揮させることができる。特にこのような効果は、吸込口３が上方に位置する場合において期待することができる。
【０１３７】
さらにこの場合においても、フィルタは、前後方向に沿った厚みが下方に向かうにつれて薄くなる部分を含むように構成されていてもいいし、前後方向に沿った厚みが上方に向うにつれて薄くなる部分を含むように構成されていてもよい。
【０１３８】
［他の変形例］
上述した実施の形態１から１１において説明した特徴的な構成を、本発明の趣旨を逸脱しない限りにおいて、適宜組み合わせてもよい。
【０１３９】
たとえば、実施の形態４に係るパネル２の構成は、実施の形態１から３に係るパネル２に適用することができるし、実施の形態５から８に係るパネル駆動部は、実施の形態１から４におけるパネル駆動部に適用することができる。また、上述した実施の形態９から１１に係るフィルタは、実施の形態１から８に係る空気清浄機に適用することができる。
【０１４０】
また、上述した実施の形態１から１１においては、パネル２が平板形状である場合を例示して説明したが、これに限定されず、図２２に示すように、パネル２の一部が湾曲していてもよい。たとえば、パネル２の上部が平坦であり、パネル２の下部が湾曲している。このように、パネル２の下部を湾曲させた場合には、下部側から空気をより吸い込むことが可能となる。
【０１４１】
さらに、実施の形態５から８においては、駆動モータによって第１回転体３３Ｄを回転させ、回転力伝達部３７Ｄによって第１回転体３３Ｄの回転力を第２回転体３４Ｄに伝達することにより、第１回転体３３Ｄおよび第２回転体３４Ｄの双方を回転させる場合を例示して説明したが、これに限定されず、駆動モータによって第２回転体３４Ｄを回転させ、回転力伝達部３７Ｄによって第２回転体３４Ｄの回転力を第１回転体３３Ｄに伝達することにより、第１回転体３３Ｄおよび第２回転体３４Ｄの双方を回転させてもよい。
【０１４２】
以上、本発明の実施の形態について説明したが、今回開示された実施の形態はすべての点で例示であって制限的なものではない。本発明の範囲は特許請求の範囲によって示され、特許請求の範囲と均等の意味および範囲内でのすべての変更が含まれる。
【符号の説明】
【０１４３】
１  本体、１ａ  前面、２  パネル、２Ａ  第１パネル、２Ｂ  第２パネル、３  吸込口、５  間隙、７，７Ｇ，７Ｈ，７Ｉ  フィルタ、７ａ  前面、７ｂ  後面、８  殺虫成分、９  芳香成分、２０，２０Ｄ，２０Ｘ  パネル駆動部、３０，３０Ｄ，３０Ｅ，３０Ｆ  スライド機構、３１  シャフト、３１Ｄ  第１シャフト、３２Ｄ  第２シャフト、
３３  回転体、３３Ｄ，３３Ｘ  第１回転体、３４Ｄ，３４Ｘ  第２回転体、３５  支持部、３５Ｄ，３５Ｅ  第１支持部、３６Ｄ，３６Ｅ  第２支持部、３７  ラック部、３７Ｄ  回転力伝達部、３７Ｆ  第１レール部、３８  レール部、３８Ｆ  第２レール部、３９  係合部、３９Ｆ  移動具、４０  駆動モータ、４１  第１駆動モータ、４２  第２駆動モータ、４３Ｅ  第３回転体、５０  制御部、６０  におい検知部、６０Ａ  風量検知部、６０Ｂ  タイマー、１００，１００Ａ，１００Ｂ，１００Ｃ  空気清浄機。
【図１】
2018057710.tif 000003
【図２】
2018057710.tif 000004
【図３】
2018057710.tif 000005
【図４】
2018057710.tif 000006
【図５】
2018057710.tif 000007
【図６】
2018057710.tif 000008
【図７】
2018057710.tif 000009
【図８】
2018057710.tif 000010
【図９】
2018057710.tif 000011
【図１０】
2018057710.tif 000012
【図１１】
2018057710.tif 000013
【図１２】
2018057710.tif 000014
【図１３】
2018057710.tif 000015
【図１４】
2018057710.tif 000016
【図１５】
2018057710.tif 000017
【図１６】
2018057710.tif 000018
【図１７】
2018057710.tif 000019
【図１８】
2018057710.tif 000020
【図１９】
2018057710.tif 000021
【図２０】
2018057710.tif 000022
【図２１】
2018057710.tif 000023
【図２２】
2018057710.tif 000024